Podtech/llm-jp-corpus-v4-ja_patent huggingface dataset:
(57)【要約】      （修正有）【課題】水位がモーター部位置に低下すると徐々にモーターが気中に現れ、周囲の水での冷却効果がなくなり支障を来たす。【解決手段】モーター部周囲にモーター冷却ケースを備え、揚排水の一部から冷却液を供給し運転中は常時モーターを冷却し続ければ更に低水位でも下部のポンプ部まで運転することが出来るようになる。また当該冷却液は必ずしも清水ではなく多少汚泥も含有されることも考慮に入れ、モーター冷却ケースの下部に排泥装置を設け、更に常時低水位で運転する場合においてモーター冷却ケースに冷却液が供給されない不測の状況を回避するためにモーター冷却ケース上部に水位検知電極等を設置し、正常でなければ本ポンプを停止させる構造にすることも可能である。また少量ではあるが、本ポンプの吐出側から冷却液を供給すると本ポンプの揚排水量が減量することに懸念があれば、外部から外部冷却水供給装置を用いて冷却液を供給することも可能である。【選択図】図１
2011106435.tif 000002
【特許請求の範囲】
【請求項１】
ポンプ低水位運転を可能にするためのモーター冷却ケースを備え、ポンプ吐出口からの配管等手段で冷却液を供給する装置。
【請求項２】
モーター冷却ケースに、外部冷却水供給装置、排泥管、水位検出器（電極等）を設けた［請求項１］を改良した装置。
【発明の詳細な説明】
【技術分野】
【０００１】本発明は水中ポンプ等に関するものである。
【背景技術】
【０００２】従来のモーター上部、ポンプ部下部の形式の水中ポンプの運転時においては、揚排水時、ピット内の水位が低下した場合モーター部が気中に現れるとモーターが周囲の水で冷却されず徐々に温度が上がり保護装置等で停止する。【０００３】ポンプ連続運転最低水位を超えて水位を低下させたい場合が多々ある。【０００４】規定最低水位を超えて連続運転した場合、モーター部過熱により、シャフト、ベアリング等軸受部、モーター巻線、モーター保護装置等に損傷を来たす恐れがある。
【先行技術文献】
【特許文献】
【００００】
【特許文献１】
【特許文献２】
【非特許文献】
【００００】
【非特許文献１】
【非特許文献２】
【発明の概要】
【発明が解決しようとする課題】
【０００５】ポンプ運転中、水位がモーター部位置に低下すると徐々にモーターが気中に現れ、周囲の水での冷却効果がなくなり徐々にモーター内の温度が上昇し保護装置等が働きポンプが停止してしまい連続揚排水が不可能となる。【０００６】モーター部過熱による、シャフト、ベアリング等軸受部、モーター巻線、モーター保護装置等に損傷を来たすことを防止する。
【課題を解決するための手段】
【０００７】前記課題を解決する手段として、モーター部周囲にモーター冷却ケースを備え、揚排水の一部（ポンプの吐出配管部）から冷却液を供給し運転中は常時モーターを冷却し続けるものとする。【０００８】また、モーター冷却ケースの上部解放部からの冷却水放流が基本であるが、モーター冷却ケースに排泥バルブをつけ内部に溜まる汚泥を排出できる構造とすることも可能な形とする。【０００９】また、常時低水位で運転する場合においてモーター冷却ケースに冷却液が供給されない不測の状況を回避するためにモーター冷却ケース上部に水位検知電極等を設置できる構造とすることもできる形とする。【００１０】また、ポンプ運転時の吐出側の揚排水をモーター冷却ケースに供給するが多少なりとも吐出量が減少するので、冷却液を外部から供給することもできる形とする。
【発明の効果】
【００１１】従来は前記のモーターの温度上昇のためモーター部付近の水位でポンプを停止させなければならず、この装置を具備すれば下部のポンプ部まで連続運転が可能となり、より多くの揚液を揚排水させることが出来る。
【図面の簡単な説明】
【００１２】
【図１】本発明を含むポンプの外観図
【図２】本発明を含むポンプの断面図
【図３】外部装置からの冷却液供給時のポンプの外観図
【図４】本発明を含まない一般的なポンプの外観図
【発明を実施するための形態】
【００１３】  この発明の一実施形態を  図１  に、通常の場合を  図４  に示す。
▲１▼のモーター冷却ケースはモーター部本体の周囲に取付けられ、上部は解放されている。底部は密閉され、▲２▼のポンプ吐出部に開けられた穴より配管でモーター冷却ケースの中に導かれ、▲３▼の解放された部分から放流される。通常の場合を  図４  に示す。通常のポンプ運転ではモーターより上部の水位（通常運転水位）▲７▼ならば問題なく運転できるがモーターが気中に出てしまうとモーターの冷却がなされず、通常停止水位▲８▼で停止させざるをえない。
【００１４】この発明の一実施形態を  図２  断面図  に示す。
▲１▼−−−モーター冷却ケース。▲２▼−−−ポンプ吐出部より配管。▲３▼−−−解放部
概要  ▲２▼のポンプ吐出部から取り入れられた冷却液が▲１▼のモーター冷却ケースを満たし、▲３▼の解放部からモーターを冷却しながら放流される。放流された冷却液はいづれポンプを介し循環することとなる。
【００１５】この発明の外部装置からの冷却水供給の形態を  図３  に示す。
▲１▼−−−モーター冷却ケース。冷却液取り入れ口▲２▼は▲５▼の外部装置からの冷却水供給となる。▲３▼−−−解放部。▲４▼はモーター冷却ケースの内部に汚泥等が堆積した場合のドレン、また解放部▲３▼よりの解放（オーバーブロー）の調整にも使用できる。▲６▼にはモーター冷却ケースの上部に電極等を設け、冷却液の供給がなされていない不測の事態があった場合はそれを検知して本ポンプを停止させることができる。
【産業上の利用可能性】
【００１６】ピット内の汚泥の清掃時もっと水位を下げたい場合、また排水時において事前に出来るだけ低水位にしておき雨水に対応したい場合など現場においては水位を下げる点については様々な要望があるので多方面においてこの発明が功を奏することになる。
【符号の説明】
【００１７】▲１▼−−−モーター冷却ケース、▲２▼−−−ポンプ吐出部からの冷却液用配管部、▲３▼−−−解放部（冷却液流出部）  ▲４▼−−−モーター冷却ケース用排泥管、▲５▼−−−外部冷却水供給装置、▲６▼−−−モーター冷却ケース上部電極等検出器、▲７▼−−−通常運転水位、▲８▼−−−通常停止水位、▲９▼改善停止水位
【図１】
2011106435.tif 000003
【図２】
2011106435.tif 000004
【図３】
2011106435.tif 000005
【図４】
2011106435.tif 000006
(57)【要約】【課題】シリンダと軸受をボルトにて締結する際に、ボルト締め付けによる応力で軸受に発生する歪を減少させ、密閉型圧縮機のガス漏れ、摺動摩擦による性能低下を防止する。【解決手段】密閉型圧縮機の軸受ボルト座面接触部にリブ１０を設置し、ボルト９による締付力を、シリンダ６との接触部へ分散させ、また、軸受７自体の歪みを低減することで圧縮機構部３のモレを低減し、性能を向上させた密閉型圧縮機を提供することが可能となる。【選択図】図１
2011106410.tif 000002
【特許請求の範囲】
【請求項１】
密閉容器内に、電動機部と圧縮機構部を備え、前記電動機の回転力をクランク軸によって圧縮機構部に伝達し、圧縮機構部で冷媒ガスを圧縮するロータリ圧縮機であって、前記圧縮機構部は、前記電動機側から、上軸受、シリンダ、下軸受の各要素を重ね合わせ構成されており、上時受及び下軸受は、シリンダ端面に接触し、シリンダに数本のボルトによって締結され、上記軸受のボルト座面が接触する部分に、シリンダ端面に接触する部分方向へリブを設けた密閉型圧縮機。
【発明の詳細な説明】
【技術分野】
【０００１】
本発明は、冷凍機、空調機、乾燥機などに使用される密閉型圧縮機の性能向上に関するものである。
【背景技術】
【０００２】
従来、この種の密閉型圧縮機は、密閉容器内に、電動機部と圧縮機構部を備え、前記電動機の回転力をクランク軸によって圧縮機構部に伝達し、圧縮機構部で冷媒ガスを圧縮するロータリ圧縮機において、前記圧縮機構部は、前記電動機側から、上軸受、シリンダ、下軸受の各要素を重ね合わせ構成されており、上記、上軸受及び下軸受は、シリンダ端面に接触し、シリンダに数本のボルトによって締結されている。上記軸受のボルト座面が接触する部分は平らな形状になっている（例えば、特許文献１参照）。
【０００３】
図３は、特許文献１に記載された従来の密閉型圧縮機を示すものである。図３に示すように、ボルト座面が接触する部分が平らな軸受１１で構成されている。
【先行技術文献】
【特許文献】
【０００４】
【特許文献１】特開２００１−１３２６７４号公報
【発明の概要】
【発明が解決しようとする課題】
【０００５】
しかしながら、前記従来の構成では、軸受をシリンダに数本のボルトにより締結する際に、ボルト座面の直下のみに締付力が集中し、シリンダ端面と軸受が均一に接触せず隙間が生じたり、軸受自体が歪んだりするために圧縮機構部でモレが発生し性能悪化を招くという課題があった。
【０００６】
本発明は、前記従来の課題を解決するもので、ボルト締結による軸受の歪みを低減することで性能向上を実現できる密閉型圧縮機を提供するものである。
【課題を解決するための手段】
【０００７】
前記従来の課題を解決するために、軸受のボルト座面が接触する部分に、シリンダ端面に接触する方向へリブを設けることで、ボルト締付による締付力をシリンダ端面に接触する方向へ分散させ、また、軸受け自体の歪みも低減でき、圧縮機構部でのモレを低減し性能を向上することが出来る。
【発明の効果】
【０００８】
本発明の密閉型圧縮機は、性能を向上することができる。
【図面の簡単な説明】
【０００９】
【図１】本発明の実施の形態１における密閉型圧縮機の要部断面図
【図２】本発明の実施の形態１における下軸受の斜視図
【図３】従来の圧縮機構部の要部断面図
【発明を実施するための形態】
【００１０】
第１の発明は、密閉容器内に、電動機部と圧縮機構部を備え、前記電動機の回転力をクランク軸によって圧縮機構部に伝達し、圧縮機構部で冷媒ガスを圧縮するロータリ圧縮機において、前記圧縮機構部は、前記電動機側から、上軸受、シリンダ、下軸受の各要素を
重ね合わせ構成されており、上記、上軸受及び下軸受は、シリンダ端面に接触し、シリンダに数本のボルトによって締結されている。
【００１１】
上記軸受のボルト座面が接触する部分に、シリンダ端面に接触する方向へリブを設けることで、ボルト締付による締付力をシリンダ端面に接触する方向へ分散させ、また、軸受け自体の歪みも低減でき、圧縮機構部でのモレを低減し性能を向上することが出来る。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における密閉型圧縮機の要部断面図、図２は下軸受の斜視図である。
【００１４】
図において、密閉容器１内に、電動機部２と圧縮機構部３を備え、前記電動機２の回転力をクランク軸４によって圧縮機構部３に伝達し、圧縮機構部３で冷媒ガスを圧縮するロータリ圧縮機において、前記圧縮機構部３は、前記電動機側から、上軸受５、シリンダ６、下軸受７の各要素を重ね合わせ構成されており、上記、上軸受５及び下軸受７は、シリンダ端面８に接触し、シリンダに数本のボルト９によって締結されている。
【００１５】
軸受のボルト座面が接触する部分に、シリンダ端面に接触する方向へリブ１０を設けたることで、ボルト締付による締付力をシリンダ端面に接触する方向へ分散させ、また、軸受け自体の歪みも低減でき、圧縮機構部でのモレを低減し性能を向上することが出来る密閉式圧縮機を提供できる。
【産業上の利用可能性】
【００１６】
以上のように、本発明にかかる密閉型圧縮機は、性能を向上出来るためで、ヒートポンプを用いた用途に適用できる。
【符号の説明】
【００１７】
１  密閉容器
２  電動機部
３  圧縮機構部
４  クランク軸
５  上軸受
６  シリンダ
７  下軸受
８  シリンダ端面
９  ボルト
１０  リブ
１１  座面部が平らな軸受
【図１】
2011106410.tif 000003
【図２】
2011106410.tif 000004
【図３】
2011106410.tif 000005
(57)【要約】【課題】オイル分離板による冷媒とオイルの分離効果を高めるとともに、圧縮機のオイル吐出の低減化を図る。【解決手段】密閉容器内１に回転子２および固定子３からなる電動機部と、この電動機部と連結される圧縮機構部４と、密閉容器底部にオイルを備え、回転子２に冷媒通路穴５に被さる大きさで、かつその延長線が固定子のコイルの上端よりも上に向いているすり鉢状のオイル分離板を備えることにより、冷媒通路穴５と、回転子２と固定子３で形成されたエアギャップ１０を通る冷媒とオイルの混合体を、固定子３と密閉容器１の間の冷媒通路１１を通る冷媒とオイルの混合体に衝突させることにより、冷媒とそれに含まれるオイルを分離し、さらには電動機上部に滞留する冷媒とオイルを遠心分離することにより、オイル吐出を低減する。【選択図】図１
2011106409.tif 000002
【特許請求の範囲】
【請求項１】
密閉容器内に回転子および固定子からなる電動機部と、この電動機部と連結される圧縮機構部と、密閉容器底部にオイルを備え、前記回転子の上部に、回転子の冷媒通路穴に被さる大きさで、かつその延長線が固定子のコイルの上端よりも上に向いているすり鉢状のオイル分離板を備えた圧縮機。
【発明の詳細な説明】
【技術分野】
【０００１】
本発明は空気調和機の室外機等に設けられる圧縮機に関するものである。
【背景技術】
【０００２】
一般に空気調和機や冷凍機等に用いられる圧縮機は、密閉容器内に回転子と固定子からなる電動機部と、この電動機部と連結される圧縮機構部と、密閉容器底部にオイルを備えている。
【０００３】
このような密閉型圧縮機では、冷媒とオイルとの分離が密閉容器内で十分行われないと、外部回路にオイルが含まれた冷媒が流出し、これによって冷却効率が低下すると共に、密閉容器内の底部のオイルが不足して、圧縮機構部における作動が円滑に行えなくなるおそれがある。
【０００４】
そこでこのような圧縮機には、図２に示すように回転子の上部に平板円盤状のオイル分離板を設けている（例えば、特許文献１参照）。これにより、回転子の冷媒通路穴５から上方へ流出した冷媒とオイルの混合体は、オイル分離板７の遠心力により、放射状に分散される。そして、この混合体を固定子のコア９から突出しているコイル８に吹き当てるようにしている。これによって、オイルがコイル側に付着して、オイルと冷媒とが分離される。
【先行技術文献】
【特許文献】
【０００５】
【特許文献１】特開平０９−１５１８８６号公報
【発明の概要】
【発明が解決しようとする課題】
【０００６】
しかしながら、前記従来の構成では、回転子の冷媒通路穴と、回転子と固定子で形成されたエアギャップを通る冷媒とオイルの混合体については冷媒とオイルを分離する効果があるが、固定子と密閉容器の間の冷媒通路を通る冷媒とオイルの混合体がオイルと分離されないまま密閉容器から吐出されるため、オイル吐出が多くなり、冷却効率が低下すると共に、密閉容器内の底部のオイルが不足して、圧縮機構部における作動が円滑に行えなくなるなどの課題を有していた。
【０００７】
本発明は、前記従来の課題を解決するもので、オイル分離板による冷媒とオイルの分離効果を高めるとともに、圧縮機のオイル吐出の低減化を図ることを目的とする。
【課題を解決するための手段】
【０００８】
前記従来の課題を解決するために、本発明の圧縮機は、密閉容器内に回転子および固定子からなる電動機部と、この電動機部と連結される圧縮機構部と、密閉容器底部にオイルを備え、前記回転子の上部に、回転子の冷媒通路穴に被さる大きさで、かつその延長線が固定子のコイルの上端よりも上に向いているすり鉢状のオイル分離板を備えたものである。
【０００９】
これによって、回転子の冷媒通路穴を通る冷媒とオイルの混合体と、回転子と固定子で形成されたエアギャップを通る冷媒とオイルの混合体を密閉容器側に案内し、固定子と密閉容器の間の冷媒通路を通る冷媒とオイルの混合体に衝突させることにより、冷媒とオイルを分離し、さらには電動機上部に滞留する冷媒とオイルを遠心分離することで、冷媒に
含まれるオイルを分離して吐出するため、オイル吐出を低減することができる。
【発明の効果】
【００１０】
以上のように本発明によれば、圧縮機のオイル吐出を低減することができる。
【図面の簡単な説明】
【００１１】
【図１】本発明の実施の形態１における圧縮機の概略図
【図２】従来の圧縮機の概略図
【発明を実施するための形態】
【００１２】
以下、本発明の実施の形態について図面を参照しながら説明する。なお、この実施の形態によって本発明が限定されるものではない。
【００１３】
（実施の形態１）
図１は、本発明の実施の形態１における圧縮機の概略図を示すものである。
【００１４】
図１において、１は密閉容器で、この容器内には回転子２と固定子３からなる電動機部と、その下側に圧縮機構部４、密閉容器１の底部にはオイルが備えられている。回転子２には冷媒通路穴５が設けられており、回転子の上側には冷媒通路穴に被さる大きさで、かつその延長線が固定子のコイルの上端よりも上に向いているすり鉢状のオイル分離板６が備えられている。
【００１５】
以上のように構成された圧縮機について、以下その動作、作用を説明する。
【００１６】
圧縮機運転時、圧縮機構部４から吐出された冷媒はオイルを含んでおり、この混合体は冷媒通路穴５と、回転子２と固定子３で形成されたエアギャップ１０と、固定子３と密閉容器１の間の冷媒通路１１を通り、圧縮機から吐出される。
【００１７】
本実施の形態のオイル分離板６は冷媒通路穴５に被さる大きさで、かつその延長線が固定子のコイル８の上端よりも上に向いているすり鉢状を有するため、冷媒通路穴５を通る冷媒とオイルの混合体と、回転子２と固定子３で形成されたエアギャップ１０を通る冷媒とオイルの混合体が密閉容器側に案内され、固定子３と密閉容器１の間の冷媒通路１１を通る冷媒とオイルの混合体に衝突し、冷媒とオイルを分離する。
【００１８】
以上のように、本実施の形態においてはオイル分離板を回転子の冷媒通路穴に被さる大きさで、かつその延長線が固定子のコイルの上端よりも上に向いているすり鉢状とすることにより、回転子の冷媒通路穴と、回転子と固定子で形成されたエアギャップと、固定子と密閉容器の間の冷媒通路を通る冷媒とオイルの混合体について、冷媒とオイルとを分離し圧縮機から吐出することで、圧縮機のオイル吐出を低減することができる。
【００１９】
また、本実施の形態ではオイル分離板をすり鉢状にすることにより、電動機上部に滞留する冷媒とオイルが遠心分離されるため、圧縮機からのオイル吐出を低減する効果も有する。
【産業上の利用可能性】
【００２０】
以上のように、本発明に係る圧縮機は、圧縮機のオイル吐出を低減することが可能となるので、空調装置や冷凍機器のほかにヒートポンプ式の除湿機や給湯機等の用途にも適用できる。
【符号の説明】
【００２１】
１  密閉容器
２  回転子
３  固定子
４  圧縮機構部
５  冷媒通路穴
６  本発明におけるオイル分離板
７  従来例のオイル分離板
８  コイル
９  固定子のコア
１０  エアギャップ
１１  固定子と密閉容器の間の冷媒通路
【図１】
2011106409.tif 000003
【図２】
2011106409.tif 000004
(57)【要約】【課題】スライドレールの形状をＣ型形状にすることにより取り付け場所が自由に選択可能であり、取り付け状態が見えにくく装着仕様であり、レールが見えにくい状態でスライドできるスライドレール及びスライドレールを任意で固定して止めるための装置を提供する。【解決手段】スライドレールのアウターメンバをＣ型の斜辺が開口した筒体に形成するとともに、Ｗ字型のインナーメンバを左右方向に摺動可能に嵌合させた構成である。また、前記アウターメンバは、Ｗ字型のインナーメンバが摺動自在に抱合できるように、開口端面をＷ字型インナーメンバを筒体の中に抱合しスライドレールを固定する箇所に開口穴を持ちネジ等で固定できる構成である。【選択図】図１
2011106660.tif 000002
【特許請求の範囲】
【請求項１】
固定レール（１・アウターメンバ）に溝があり左右方向の内壁をスライドする構成のスライドレール（２・インナーメンバ）において、移動レール（インナーメンバ）を形成するとともに、該ガイド溝にインナーメンバを挟み左右方向に摺動可能に嵌合させたことを特徴とするスライドレール
【請求項２】
前記アウターメンバは、Ｃ字型のインナーメンバが摺動自在に抱合できるように、Ｃ字型に内側に屈曲させ、Ｃ字型インナーメンバを抱合したことを特徴とする請求項１記載のスライドレール
【請求項３】
前記スライドレールは、縦・横・斜め上下左右に装着することができるようにスライドレールの移動レール（３）とインナーメンバ（４）の組み合わせたことを特徴とする請求項１または２記載のスライドレール
【請求項４】
前記スライドレールは、取り付け方法と取り付け方向が選択可能となるように、取付け孔をアウターメンバの側壁の任意の場所に穿設したことを特徴とする請求項１乃至３記載のスライドレール
【請求項５】
前記スライドレールのアウターメンバとインナーメンバを固定するための、インナーメンバに固定ビスを任意の個所に設け固定ビスによりねじ込むことにとり止めることのできることが可能となるようにしたことを特徴とする請求項１乃至４記載のスライドレール
【請求項６】
前記スライドレールのアウターメンバとインナーメンバを使用した商品で強度保持金具を複数個所設けることにより、より衝立などのように薄い物にアジャスターを用いて安定性を図ることを特徴とする請求項１乃至５記載のスライドレール
【発明の詳細な説明】
【技術分野】
【０００１】本発明は、スライドにより開閉などの利便性を図った金具に関する。
【背景技術】
【０００２】本発明は、ペット用サークル、ペット用衝立、電子機器、光学機器、ビジネス機器、家具等々に使用されるスライドレールに関し、特に安価で強度を保持する機構のスライドレールであって、薄くすることが出来るスライドレールに関する。
【発明の開示】
【発明が解決しようとする課題】
【０００３】上記の問題を解決するために本発明のスライドレールは、スライドレールの形状をＣ型形状にすることにより強度をまし、尚且つ薄型になり、取り付け場所が自由に選択可能であり、取り付け状態が見えにくい装着仕様であり、レールが見えなにくい状態でスライドできるスライドレール提供することを目的としている。
【問題を解決するための手段】
【０００４】上記の目的を達成するために本発明に係るスライドレールは、インナーメンバがアウターメンバの左右方向の内壁をスライドする構成に使われるスライドレールであって、スライドレールのアウターメンバを開口したＣ型筒体にＷ字型のインナーメンバを左右方向に摺動可能に嵌合させた構成である。また、前記アウターメンバは、Ｗ字型のインナーメンバが摺動自在に抱合した構成である。
【０００５】また、前記スライドレールは、複数個装着することによりガードレールとしての機能を持ちスライドレールのインナーメンバ同士を表裏に組み合わせた構成とすることもできる。
また、前記スライドレールは、取り付け方法と、取り付け方向が選択可能であるように、取付け孔をインナーメンバの任意の場所に設け図５に示すように任意の個所にネジ穴用開口部を設けビスを用いて固定できる構成も可能である。
【発明の効果】
【０００６】１．スライドレールをＣ型形状にしたことにより、薄くて耐荷重に優れたスライドレールを提供することが出来ると共にスライドレールを見えにくくすることが可能となった。
２．また、取り付け場所、取り付け方向が自由に選択することが可能となったので、従来問題となっていた垂直方向（重力方向）に加重な荷重が掛かった場合にも心配がないという利点がある。
３．形状がＣ型になったため荷重が適度に分散され、耐久度が高く壊れにくい構造になった。
４．取り付け方法と取り付け箇所を任意に選択することが可能となったため、省スペースとなり、また従来スライドレールが設置困難であったような箇所にも設置することが可能となった。
５．インナーメンバに任意の個所に開口穴を設けスライド部を固定するためビスを取り付ける箇所を任意に選択することが可能となった構成も可能である。
【発明を実施するための最良の形態】
【０００７】以下、添付図面を参照しながら、本発明の実施の形態を詳細に説明する。【０００８】図においては、１はＣ型の内部の内側を設け強度保持を図った、又２を噛み合わせるため、アウターメンバとインナーメンバが１体となりより強度が増す構造である。
【図面の簡単な説明】
【０００９】
【図１】本発明の実施形態を示すスライド金具の図面
【図２】本発明の実施形態を示す製品図の図面
【図３】本発明の実施形態を示すスライド金具の取り付け図面
【図４】本発明の実施形態を示す金具の移動図面
【図５】本発明の実施形態を示す止める（ブレーキ）状態の図面
【符号の説明】
【００１０】１、固定レール（アウターメンバ）
１ａ、ガイド溝部
２、移動レール
２ａ、ガイド溝部（インナーメンバ）
３、移動レール走行面
４、はずれ防止ガイドレール
５、留め具ビス
６、ビス穴（アウターメンバ側）
６ａ、ビス穴（インナーメンバ側）
７、ビス穴（インナーメンバ側）
８、インナーメンバを取り付ける部材
９、インナーメンバに取り付た止め具用穴
１０、スライド固定用ビス
１１、アジャスター固定用ビス穴
１１ａ、アジャスター
【図１】
2011106660.tif 000003
【図２】
2011106660.tif 000004
【図３】
2011106660.tif 000005
【図４】
2011106660.tif 000006
【図５】
2011106660.tif 000007
(57)【要約】【課題】子供でも一人で折りたたむことができ、たたみ方を習得できるハンカチやタオル等の手ふきを提供することを目的とする。【解決手段】正方形のハンカチ１には、その面積を１６等分するように各辺４等分して縦横３本ずつ折りたたみ線１１を入れている。折りたたみ線１１は、破線でハンカチ１にプリントして形成されている。ハンカチ１を折りたたむときは、線に沿って折ると、端と端が合うので、きれいに折りたたむことができる。ハンカチ１に折りたたみ線１１を設けてあるので、ハンカチ１を折りたたむ際にどこを折ってたためばいいのかが分かり、子供特に幼児でも一人できれいに折りたたむことができる。【選択図】図１
2011106063.tif 000002
【特許請求の範囲】
【請求項１】
手ふきを構成する布に折りたたみ線を備える手ふき。
【請求項２】
前記折りたたみ線は、実線、点線、線状模様またはそれらの組み合わせのうちのいずれかであることを特徴とする請求項１記載の手ふき。
【請求項３】
前記折りたたみ線は１つの模様又は連続する模様により形成されることを特徴とする請求項１又は請求項２記載の手ふき。
【請求項４】
前記折りたたみ線は、前記布の素材とは異なる素材で形成されることを特徴とする請求項１乃至請求項３のいずれか１つに記載の手ふき。
【発明の詳細な説明】
【技術分野】
【０００１】
本発明は、ハンカチやタオル等の手ふきに関し、特に子供でもきれいに折りたたむことができる手ふきに関する。
【背景技術】
【０００２】
衣類やハンカチ、タオル等をたたむとき、子供特に年齢の小さい子供は、どこを折っていいのか分からず、ただ小さくすることに重点をおいて、たたむことが多い。その結果、折った形が揃わず収納する際に不便なことが多かった。
【０００３】
衣服のたたみ方の順番を衣服に示したものが特許文献１に開示されている。衣服には２カ所に同じ絵や記号が記され、同じ絵や記号を合わせることにより、折りたたむ箇所を示している。しかしながら、子供は絵を合わせることに興味がいってしまい、衣服のたたみ方を習得せずに終わる場合があった。
【先行技術文献】
【特許文献】
【０００４】
【特許文献１】特開平５−１０８００３号公報
【発明の概要】
【発明が解決しようとする課題】
【０００５】
そこで、子供一人で折りたたむことができ、たたみ方を習得できる手ふきを提供することを目的とする。
【課題を解決するための手段】
【０００６】
本発明に係る手ふきは、手ふきを構成する布に折りたたみ線を備える。
ここで、折りたたみ線を次のように形成することができる。
（１）折りたたみ線を実線、点線、線状模様またはそれらの組み合わせで形成する。
（２）折りたたみ線を１つの模様又は連続する模様で形成する。
（３）折りたたみ線を手ふきの素材とは異なる素材で形成する。
【発明の効果】
【０００７】
上記の構成を有する手ふきは、折りたたみ線を有して折りたたむ位置を教示しているので、たたむ際にどこを折ればいいのかが分かり、子供一人できれいに折りたたむことが可能となり、繰り返すことで折りたたみ方を習得することができる。
【図面の簡単な説明】
【０００８】
【図１】図１は本発明の実施例１に係るハンカチを示す図である。
【図２】図２は本発明の実施例２に係るタオルを示す図である。
【発明を実施するための形態】
【０００９】
本発明の手ふきは、ハンカチやタオル等の手ふきに折りたたみ線を設け、折りたたみ位置を教示している。
【実施例１】
【００１０】
本発明を適用した実施例１のハンカチを図１を参照して説明する。図１は正方形のハンカチ１であり、ハンカチ１の面積を１６等分するように各辺４等分して縦横３本ずつ折りたたみ線１１を入れている。折りたたみ線１１は、破線でハンカチ１にプリントして形成されている。
ハンカチ１を折りたたむときは、線に沿って折ればハンカチ１の端と端が揃い、きれいに折りたたむことができる。
【００１１】
このようにハンカチ１に折りたたみ線１１を設けてあるので、ハンカチ１を折りたたむ際にどこを折ってたためばいいのかが分かり、子供特に幼児が一人で折りたたんでもきれいにたたむことができる。繰り返して実施例１のハンカチ１をたたむことで、端と端とを合わせてたたむことを覚えることができる。
【００１２】
実施例１のハンカチでは、折りたたみ線を縦横３本ずつ設けたが、設ける折りたたみ線の本数を増減させてもよい。例えば、ハンカチの大きさによって、折りたたみ線の本数を適宜決定することができる。
【００１３】
また、実施例１では折りたたみ線を破線としたが、折りたたみ線を線として認識できればよいので、実線や水玉模様を線状に並べるなど模様で線を表してもよく、一つの模様や複数の模様を用いて１本の線を表すこともできる。
【００１４】
一つの模様で１本の線を表す一例として、長い一匹のへびのイラストを直線に入れて線を表すことができる。また、複数の模様で線を表す一例として、てんとう虫やイモ虫などのイラストを交互に直線となるように並べて折りたたみ線を表すことができる。
【００１５】
また、実施例１では折りたたみ線をハンカチにプリントしたが、例えば、折りたたみ線を染めたり、ハンカチに線を刺繍したり、線を細長い布で作成し、ハンカチに縫いつけてもよい。
【実施例２】
【００１６】
次に、本発明を適用した実施例２のタオルを説明する。図２は縦長のタオル２である。本実施例ではタオルを縦の長さが短くなる方向に４つ折りする折りたたみ方を用いて説明する。
【００１７】
図２のタオル２において、縦の長さを短くするように、縦の長さを４等分して横に四つ折りする位置に、折りたたみ線２１を３本設けている。折りたたみ線２１は水玉模様を線状に並べてタオル２にプリントして設けている。
【００１８】
このようにタオル２に折りたたみ線２１を設けてあるので、タオル２を折りたたむ位置が分かり、子供特に幼児が一人で折りたたんでもきれいにたたむことができる。繰り返して実施例２のタオル２をたたむことで、タオルのたたみ方を覚えることができる。
【００１９】
実施例の２のタオルでは、４つ折りする位置に折りたたみ線を設けたが、折りたたみ線の位置は上述の位置に限らず、数々あるタオルの折り方に対応するように折りたたみ線を設ければよい。
【００２０】
また、折りたたみ線の形成方法は実施例１で記述したのと同様に、タオルを染めたり、刺繍をしたり、他の素材を縫って線を表すことができ、様々な方法で線を形成することができる。
また、折りたたみ線は線と認識できればよいので、実線、点線、模様やこれらの組み合わせで線を表すことができる。
【００２１】
以上本発明の実施例を詳述したが、本発明は上記の実施例に限定されることはなく、様々に変形可能である。
例えば、本発明を適用するハンカチやタオルは上述の形に限定されることはなく、長方形や正方形などどのような形でもよく、折りたたみ線を設けることができる。また、折りたたみ線は多数ある折りたたみ方に対応するように設ければよい。
また、1枚の手ふきの折りたたみ線を全て同じように形成したが、１枚の手ふきにおける折りたたみ線の太さをそれぞれ変えたり、１枚の手ふきにおける折りたたみ線の線を形成する方法をそれぞれ変えてもよい。
【符号の説明】
【００２２】
１  ハンカチ
２  タオル
１１，２１  折りたたみ線
【図１】
2011106063.tif 000003
【図２】
2011106063.tif 000004
(57)【要約】【課題】  プリザーブドフラワーに、自分で自由に香りをつけかえることができ、パワーストーンを使用した装飾とメロディカードによる音楽との相乗効果により、より多くの人が癒しの効果を楽しめる、ヒーリングプリザーブドフラワーを提供する。【解決手段】  プリザーブドフラワーを固定するためのドライフォーム（１）や容器（２）の一部分にアロマディフューザー（３）を設け、飾りの一部にパワーストーン（４）を使用する。容器の側面にはカードホルダー（５）を設け、ボタン式メロディカード（６）の出し入れを可能にした、アロマとメロディとパワーストーンの相乗効果を有するヒーリングプリザーブドフラワーを特徴とする。【選択図】図１
2011106078.tif 000002
【特許請求の範囲】
【請求項１】
プリザーブドフラワーを固定するためのドライフォーム（１）や容器（２）の一部分にアロマディフューザー（３）を設け、飾りの一部にパワーストーン（４）を使用する。
容器の側面にはカードホルダー（５）を設け、ボタン式メロディカード（６）の出し入れを可能にした、アロマとメロディとパワーストーンの相乗効果を有するヒーリングプリザーブドフラワーである。
【発明の詳細な説明】
【技術分野】
【０００１】  この発明は、プリザーブドフラワーの一部分に小型のアロマディフューザーとパワーストーンの飾りをつけ容器の側面にボタン式メロディカードを設けた、ヒーリングプリザーブドフラワーに関するものである。
【背景技術】
【０００２】  従来、プリザーブドフラワーとアロマオイル、パワーストーン、ボタン式メロディカードは別々に用いられており、香りつきプリザーブドフラワーは存在するが、花や花弁自体に香りをつけているものだった。
【発明の開示】
【発明が解決しようとする課題】
【０００３】  これは、次のような欠点があった。
従来、プリザーブドフラワーは見ることを楽しむだけで、目に障害のある人はその魅力を十分に楽しむことが出来なかった。また、香り付きのものも、プリザーブドフラワー自体は半永久的なものでありながら、香りはそうではなく、しかも本人の好みやその日の気分で匂いの種類やその強さを変更できなかった。
本発明は、以上のような欠点をなくすためになされたものである。
【課題を解決するための手段】
【０００４】  プリザーブドフラワーを固定するためのドライフォーム（１）や容器（２）の一部分にアロマディフューザー（３）を設け、飾りの一部にパワーストーン（４）を使用する。容器の側面にはカードホルダー（５）を設け、ボタン式メロディカード（６）の出し入れを可能にする。
本発明は、以上の構成よりなるアロマとメロディとパワーストーンつきのヒーリングプリザーブドフラワーである。
【発明の効果】
【０００５】  アロマディフューザーに自分でアロマオイルを垂らして香りをつけるので、その日の気分や好みで香りをつけかえることができる。また、パワーストーンと香り、メロディの相乗効果でより一層の癒し効果が得られる。
健常の人はもちろん、障害をもった人も癒しの効果を楽しめる。
【発明を実施するための最良の形態】
【０００６】  以下、本発明を実施するための最良の形態について説明する。
プリザーブドフラワーを固定するドライフォーム（１）の一端に、小型のアロマディフーザー（３）を埋め込み、ディフューザー（３）の中心部分は取替え可能にしておく。
また、ドライフォームの一端にパワーストーン（４）をワイヤーで固定する。
ドライフォーム（１）を使用しない場合は、容器（２）にディフューザー（３）やパワーストーン（４）を接着して固定する。
容器の側面に金属の小型カードホルダー（５）をとりつけ、その中にボタン式メロディカード（６）を入れる。
本発明は、以上のような構造である。
これを使用するときは、自分の好きなアロマオイルをディフューザーに数滴垂らして、香りを楽しみ、ボタン式メロディカードで音を楽しみ、パワーストーンとの相乗効果で癒しを得る。
【図面の簡単な説明】
【０００７】
【図１】  本発明の正面図である。
【図２】  本発明の断面図である。
【符号の説明】
【０００８】  １  ドライフォーム
２  容器
３  アロマディフューザー
４  パワーストーン
５  カードホルダー
６  ボタン式メロディカード
【図１】
2011106078.tif 000003
【図２】
2011106078.tif 000004
(57)【要約】【課題】  手（指先を含む）が不自由な人でもカテーテルで導尿を行うとき、導尿しやすいようにパンツの前が開きやすくウエストサイズも調節しやすい。また紙オムツ（尿取りパッドを含む）を装着時ずれにくく保持ができ、紙オムツ（尿取りパッドを含む）の装着交換がしやすい導尿用および紙オムツ用（尿取りパッドを含む）前開き布製パンツを提供する。【解決手段】  ウエスト部分１及び２にマジックテープを設け、ウエスト部分３及び４に紐を設け、５部分を大きく開け、６部分を斜め仕様に設け、収縮性の良い生地を使用することによって、手（指先を含む）が不自由な人でも前が大きく開くことができ導尿がしやすくなり、ウエストサイズを容易に調節することができ、紙オムツ（尿取りパッドを含む）の保持、装着交換が行いやすくなることを特徴とする。【選択図】図１
2011106077.tif 000002
【特許請求の範囲】
【請求項１】
ウエスト部分１及び２にマジックテープを設ける。
【請求項２】
ウエスト部分３及び４に紐を設ける。
【請求項３】
５部分の開き幅が大きい。
【請求項４】
６部分を斜め仕様に設ける。
以上の構成よりなる導尿用および紙オムツ用（尿取りパッドを含む）前開き布製パンツ。
【発明の詳細な説明】
【技術分野】
【０００１】  この発明は、カテーテルによる導尿がしやすく、また紙オムツ（尿取りパッドを含む）を保持するための導尿用および紙オムツ用（尿取りパッドを含む）前開き布製パンツに関するものである。
【背景技術】
【０００２】  従来、導尿用としての布製パンツはなかった。【０００３】  従来、手（指先を含む）の不自由な方が簡単楽に開閉できる布製パンツがなかった。【０００４】  オムツカバーではなく、紙オムツ（尿取りパッドを含む）保持交換の行いやすい布製パンツはなかった。【０００５】  ウエストサイズが容易に調節できる布製パンツがなかった。
【発明の概要】
【発明が解決しようとする課題】
【０００６】  これは次のような欠点があった。【０００７】  市販のパンツ、介護用パンツではカテーテルによる導尿が行いづらかった。【０００８】  市販のパンツでは座位による導尿時、前が開きづらかった。【０００９】  随時、ウエストサイズ調整ができるパンツがなかった。【００１０】  手（指先を含む）の不自由な方が簡単楽に前開きできるパンツがなかった。【００１１】  前開きパンツで紙オムツ（尿取りパッドを含）がずれにくく保持できるパンツがなかった。【００１２】  本発明は、以上のような欠点をなくすためになされたものである。
【課題を解決するための手段】
【００１３】  図１においては、ウエスト部分の１及び２にマジックテープを設ける。【００１４】  図１においては、ウエスト部分３及び４に紐を設ける。【００１５】  図２においては、５部分を大きく開ける。【００１６】  図１においては、右前合わせ６部分を斜め仕様にする。【００１７】  収縮性の良い生地を使用する。
本発明は、以上の構成よりなる導尿用および紙オムツ用（尿取りパッドを含む）前開き布製パンツである。
【発明の効果】
【００１８】  ウエスト部分のマジックテープにより前開きとウエストサイズ調整が簡単に行える。【００１９】  ウエスト部分の紐に指をかけることにより手（指先を含む）の不自由な方でも簡単楽に前開きとウエストサイズ調整ができる。【００２０】  伸縮性の良い生地を使用することで前開きだが紙オムツ（尿取りパッドを含む）がずれにくく保持ができる。【００２１】  前開きが大きくできるため、紙オムツ（尿取りパッドを含む）の装着交換が行いやすい。【００２２】  従来の防水性オムツカバーとは違い蒸れない。【００２３】  装着時腰回り（尻部）がすっきりする。
【発明を実施するための最良の形態】
【００２４】  以下、本発明を実施するための最良の形態について説明する。【００２５】  図１においては、ウエスト部分１及び２にマジックテープを設ける。【００２６】  図１においては、ウエスト部分３及び４に紐を設ける。【００２７】  図２においては、５部分を大きく開ける。【００２８】  図１においては、６部分を右前合わせ斜め仕様にする。【００２９】  収縮性の良い生地を使用する。【００３０】  本発明は、以上のような構成である。【００３１】  これを使用するときは、導尿時は紐に指をかけマジックテープ部分を引くことにより前を大きく開けカテーテルで導尿を行い、紐に指をかけマジックテープを合わせることにより前を閉じ、ウエストサイズを自由に調節でき、紙オムツ（尿取りパッドを含む）の上から装着する。【００３２】  これを使用するときは、ウエスト部分（ウエストサイズ）を体型に合わせることで紙オムツ（尿取りパッドを含む）を体にフィットさせ、ズレを防止する。【００３３】  本発明は布製パンツなので外見上紙オムツ（尿取りパッド）を装着しているとは分かりづらい。
【図面の簡単な説明】
【００３４】
【図１】  本発明の一部開放図である。
【図２】  本発明の正面図である。
【図３】  本発明の全面開放図である。
【符号の説明】
【００３５】１、マジックテープを付けるウエスト部分
２、マジックテープを付けるウエスト部分
３、紐を付ける部分
４、紐を付ける部分
５、開閉部
６、右前斜め合わせ部分
【図１】
2011106077.tif 000003
【図２】
2011106077.tif 000004
【図３】
2011106077.tif 000005
(57)【要約】 【課題】自動二輪車を運転又は乗車する際に着用するヘルメットにおいては、市販の      ヘルメット・シールド部分には防雨用のワイパーなどは、メカ的形状等の難しさがあり、未だ市場には出回ってない、二輪車利用者の雨天時や寒い時期、特に冬場での寒気ではシールド内部の温度差による息の曇りなどで、視界を悪くし、交通事故に繋がる危険性を伴う等、運転者を困らせているのが現状である。  【解決手段】そこで、その解決手段として、ヘルメット・シールド部に酸化チタンコーティングを施すことにより光触媒の働きで水滴付着や防雲性が軽減するので、ヘルメットの装着者にとって視界が良く成り、より安全運転に役立てる。【選択図】図１
2011106039.tif 000002
【特許請求の範囲】
【請求項１】
光触媒作用を有する物質からなる薄膜が、表面に形成されたことを特徴とする、ヘルメット・シールド部。                
【発明の詳細な説明】
【技術分野】
【０００１】
この発明は、ヘルメットに取り付けるシールド部に二酸化チタンTiO2(光触媒)を
コーティングまたはTIO2と樹脂フィルム等とを接着したものを張り付けること。
【背景技術】
【０００２】
従来のヘルメット・シールド部の材質は，樹脂製品類(プラスティックやアクリ
ル等)や強化ガラスで作られたものであり防滴、防雲には対応されてはいない。                                
【０００３】
この改善策としてヘルメット・シールド部の材質そのものに，二酸化チタンTiO2(光触媒)をコーティング又は樹脂フィルム等で接着貼り付けすることにより、水滴の付着や湯気の防曇が減少される。
【先行技術文献】
【特許文献】
【０００４】
【特許文献１】特開平9-230105号公報
【０００５】
【特許文献２】特開2002-201045号公報
【発明の概要】
【発明が解決しようとする課題】
【０００６】
いままでは二輪車の乗車時、雨天や寒い時期での走行はヘルメット前面のシー
ルド部に水滴が付き又は内側に湯気等が付き、ヘルメット装着者の視界を悪くし、
事故の危険性に繋がるおそれがある。そこでこの発明は、ヘルメット・シールド
部に水滴や湯気の曇りを減らし、装着者の視界を良くすることを課題とする。課
【課題を解決するための手段】
【０００７】
以上の課題を解決するために、ヘルメット・シールド部に二酸化チタン(TiO2)を        
コ―ティングまたは樹脂フィルム等
を接着貼り付けすることにより、太陽光(自然光からの紫外線)を受けた光触媒がシールド面を親水性効果により水滴付着の軽減や防雲性をもたらすシールド面とする。
【発明の効果】
【０００８】
水滴付着の軽減及び防雲性をもたらすことで装着者の安全運転に貢献できる。
【図面の簡単な説明】
【０００９】
【図１】図1はシールド無ヘルメットとシールドありヘルメットでこの発明の一          実施形態を示す。
【発明を実施するための形態】
【００１０】
バイク用ヘルメットには，頭部上部のみの形状のものと、頭部いわゆる首から上部を被るものがあり、この発明は後者のもので其の類のものは顔に当たる部分をシールド部と称してヘルメットの着用者の顔面を、特に目をゴミや誇りなどから防護するために、透明な強化プラスティック樹脂等で装着され、ヘルメットに固定式はめ込みのものと、上部に上げ下げする可動式のものがある。このいずれのシールド部にも雨天の走行の際には雨の水滴、自動車が巻き上げる泥水、更には寒い時期での、温度差による息の曇りなど視界を妨げ交通の危険性を伴うものであり、これを改善する為に、この度は、ワイパーとかモーター等で可動させる機械的駆動器具で除去するのではなく、至ってシンプルに、シールド部そのものに特価した二酸化チタン(Tio2、光触媒)をコーティング、吹き付け、または樹脂フィルム等に接着したものを張り付けする。コーティング、吹き付け、貼り付けの位置は、ジールド部外面、内面の全体、またはコストの関係でシールド部の視界にあたる全面上部分の外面と内面に施すものとする。
【実施例１】
【００１１】
自動車のフェンダーミラーや洗面台の鏡などですでには実現していて、水滴の付着軽減や防雲性の効果がある。                                                    
【符号の説明】
【００１２】
１バイク用ヘルメット・シールド部無と固定式シールド部有り
2ヘルメット・シールド可動型
【図１】
2011106039.tif 000003
(57)【要約】      （修正有）【課題】従来器具では、磁石の装着位置、磁石使用の具体的効果、疾病改善の明確な説明がありません。【解決手段】本発明は仙骨周辺部位に在る、自律神経の副交感神経及び、前面の膀対応部位を磁石で温め、副交感神経を活性化させて、血行を促進させ臓器機能を改善させる事で次に示す、1消化器官の促進、2消化液分泌の増加、3抹消器官の拡張、4筋肉の弛緩(血圧の下降)、5肝臓グリコーゲンの合成(血糖低下)、6肛門管付近の静脈叢の血流促進、7し尿器官の改善8陰茎勃起作用の増進等の、様々な効果は医学的にも証明されています。【選択図】図１
2011106036.tif 000002
【特許請求の範囲】
【請求項１】
仙骨下部周辺の、自律神経の副交感神経部位及び前面の膀胱対応部位を磁石で温め副交感神経を活性化させて、血行を改善させる機能を目的とした、下着パンツ(男性用ブリーフ、女性用ガードル)。
【発明の詳細な説明】
【技術分野】
【０００１】
本発明は、仙骨下部及び前面膀胱対応部位を磁力で温め、仙骨周辺の自律神経の副交換神経等を活性化させ、血行を促進させて、臓器の機能を高め器官を改善します
【０００２】
この健康促進パンツは、磁石は布を経て作用する為、貼り薬等と異なり患部に直接触れません、皮膚に優しく皮膚等への副作用もありません。下着は日常着用しておりますので、無意識のうちに病状が改善されます
【背景技術】
【０００３】
健康下着類、従来の技術では、磁石をどの部位に固定装着して機能させるか、具体的説明が示されていません
【０００４】
磁石で温め血行を促進させる事で、どの様な病気が改善されるか、具体的の説明がありません
【先行技術文献】
【特許文献】
【０００５】
【特許文献１】特開２００２―５４００２号公報
【特許文献２】特開２０００―１６７０６９号公報
【特許文献３】特表２００６―５２６４３１号公報
【発明の概要】
【発明が解決しようとする課題】
【０００６】
以上に述べた従来の器具では、磁石の装着部位、磁力で得る具体的効果の内容、改善される臓器や器官の具体的な説明がありません
【課題を解決するための手段】
【０００７】
本発明は、磁力で仙骨周辺部位の自律神経、副交感神経対応部位、前面の膀胱対応部位等を温め、副交感神経を活性化させ、血行を促進させて、臓器の機能を高め器官を改善します、症状により磁力を調節する事も可能です
【発明の効果】
【０００８】
上述したように、本発明は、健康促進パンツを着用時に、仙骨下部、自律神経の副交感神経を囲む部位、及び前面の膀胱対応部位等に磁石を、パンツ、ガードルに装着させる事で、依り高い効果を発揮する事が出来ます
【図面の簡単な説明】
【０００９】
【図１】男子ブリーフ裏返し後面図
【図２】男子ブリーフ裏返し側面図
【図３】男子ブリーフ裏返し前面図
【図４】女子ガードル裏返し後面図
【図５】女子ガードル裏返し側面図
【図６】女子ガードル裏返し前面図
【発明を実施するための形態】
【００１０】
以下、本発明は実施の形態を図1〜図6に基づいて説明する
【００１１】
図１の符号1〜７は仙骨下部、尾骨を囲む磁石の装着位置である。
図2の符号1〜４は仙骨下部、尾骨を囲む磁石の装着位置である。
図3の８、９、１０は膀胱部対応の磁石の装着位置である。
図４の符号1〜7は仙骨下部、尾骨を囲む磁石の装着位置である。
図５の符号1〜4は仙骨下部、尾骨を囲む磁石の装着位置である。
図６の符号８、９、１０は膀胱部対応の磁石の装着位置である。
以下に、各磁石装着部位の効果を記載する。
１、仙骨下部中央装着部位（大腸、Ｓ字結腸下部の副交感神経の血行促進に対応します）
２、尾骨上部、側面装着部位（大腸、直腸部位の副交感神経の血行促進に対応します）
３、尾骨中間部、側面装着部位（大腸、直腸部位の副交感神経の血行促進に対応します）
４、尾骨下部、側面装着部位（肛門部位の血行促進に対応します）
５、尾骨上部、側面装着部位（大腸、直腸部位の副交感神経の血行促進に対応します）
６、尾骨中間部、側面装着部位（大腸、直腸部位の副交感神経の血行促進に対応します）
７、尾骨下部、側面装着部位（肛門部位の血行促進に対応します）
8、膀胱側面部位（膀胱側面の血行促進に対応します）
9、膀胱中央部位（膀胱中央部位の血行促進に対応します）
１0、膀胱側面部位（膀胱側面の血行促進に対応します）
【符号の説明】
【００１２】
１  仙骨下部中央装着部位
２  尾骨上部、側面装着部位
３  尾骨中間部、側面装着部位
４  尾骨下部、側面装着部位
５  尾骨上部、側面装着部位
６  尾骨中間部、側面装着部位
７  尾骨下部、側面装着部位
８  膀胱側面部位
９  膀胱中央部位
１0  膀胱側面部位
【図１】
2011106036.tif 000003
【図２】
2011106036.tif 000004
【図３】
2011106036.tif 000005
【図４】
2011106036.tif 000006
【図５】
2011106036.tif 000007
【図６】
2011106036.tif 000008